(57)【要約】【課題】マンモグラム等の医用画像に含まれる大きさが異なる円形孤立性の異常陰影や線状の異常陰影と、正常組織である血管や肋骨などを精度良く区別するためにウェーブレット解析による新規なフィルタバンクを用いた画像処理方法を提供することである。【解決手段】入力画像信号に含まれる異なる円形成分及び／又は線状成分とを検出するために、フィルタバンクの分割部の高域通過フィルタがＨＨ（Ｚ）＝（−Ｚ＋Ｚ−１）／２及び低域通過フィルタがＨＬ（Ｚ）＝（Ｚ＋Ｚ−１）／２の伝達関数で与えられるとともに、合成部の高域通過フィルタがＦＨ（Ｚ）＝（Ｚ−Ｚ−１）／２及び低域通過フィルタがＦＬ（Ｚ）＝（Ｚ＋Ｚ−１）／２の伝達関数で与えられており、分割部により各帯域分割された画像信号を各要素とするヘシアン行列式の最小固有値及び／又は最大固有値を、出力画像信号の生成の際に用いる。【選択図】  図７
2004313478.tif 000002
【特許請求の範囲】
【請求項１】
分割部と合成部とからなり、前記分割部において入力された画像信号をフィルタ処理により帯域分割し、前記合成部においてはフィルタ処理により不要帯域を除去し、最後に各帯域信号を加算して出力画像信号を生成するようにした完全再構成フィルタバンクを用いた医用画像処理方法において、前記入力画像信号に含まれる異なる円形成分及び／又は線状成分とを検出するために、異なる解像度ごとに前記フィルタバンクの分割部により各帯域分割された画像信号を各要素とするヘシアン行列式の最小固有値及び／又は最大固有値を、前記出力画像信号の生成の際に用いることを特徴とする医用画像処理方法。
【請求項２】
前記フィルタバンクを前記異なる解像度ごとに複数段縦列接続してツリー状にし、帯域分割数がオクターブ分割により増加されることを特徴とする請求項１に記載の医用画像処理方法。
【請求項３】
前記フィルタバンクの分割部には高域通過フィルタがＨＨ（Ｚ）＝（−Ｚ＋Ｚ−１）／２及び低域通過フィルタがＨＬ（Ｚ）＝（Ｚ＋Ｚ−１）／２の伝達関数で与えられるとともに、前記合成部の高域通過フィルタがＦＨ（Ｚ）＝（Ｚ−Ｚ−１）／２及び低域通過フィルタがＦＬ（Ｚ）＝（Ｚ＋Ｚ−１）／２の伝達関数で与えられていることを特徴とする請求項１又は２に記載の医用画像処理方法。
【請求項４】
前記入力画像が微小石灰化クラスタを含む乳房Ｘ線写真である場合には、この乳房Ｘ線写真を所定の関心領域に区切り、各関心領域において、前記フィルタバンクより生成される出力画像信号から得られる所定の特徴量を用いて再合成することにより前記微小石灰化クラスタを検出することを特徴とする請求項１から３のいずれかに記載の医用画像処理方法。
【請求項５】
前記入力画像が骨部を含む胸部単純Ｘ線写真である場合には、前記フィルタバンクより生成される出力画像信号の水平方向成分の値をゼロとして再合成することにより、前記胸部Ｘ線写真における骨部を除去した画像を生成することを特徴とする請求項１から３のいずれかに記載の医用画像処理方法。
【請求項６】
請求項１から５のいずれかに記載の医用画像処理方法を実行するコンピュータプログラムを記録した記録媒体。
【発明の詳細な説明】
【０００１】
【発明の属する技術分野】
本発明は、マンモグラム等の医用画像に含まれる大きさが異なる円形孤立性の異常陰影や線状の異常陰影と、正常組織である血管や肋骨などを精度良く区別するための医用画像処理方法に関する。
【０００２】
【従来の技術】
近年の食生活の欧米化に伴い、日本においても乳癌罹患者は増加の傾向にある。そのため、早期乳癌の発見に最も信頼性が高いとされる乳房Ｘ線写真（マンモグラム）を用いた検診が始まっている。このマンモグラフィ導入検診では大量の枚数のマンモグラムの読影が必要となる。したがって、１人の医師に要求される読影枚数の増加が予想され、疲労による病変の見落としが増えることが危惧されている。実際に、マンモグラフィ導入検診が行われてきた欧米では、約１０〜３０％の見落としがあることが報告されている。そこで、コンピュータを用いた画像処理により見落としやすい病変を検出し、その結果を「第２の意見」として医師に提示することにより、病変の見落とし抑制を目的としたコンピュータ支援診断（ＣＡＤ：Ｃｏｎｐｕｔｅｒ−Ａｉｄｅｄ  Ｄｉａｇｎｏｓｉｓ）に関する研究が行われている。
【０００３】
乳房Ｘ線写真に含まれる微小石灰化クラスタは、触診や腫瘤として検出される以前に乳癌の兆候として現われるため、その検知は極めて重要である。しかし、微小石灰化クラスタを形成する個々の石灰化陰影は、画像上では微細でコントラストが小さいものが多いため、画像処理に際ししばしば見落としの原因となっている。それゆえ、微小石灰化クラスタの検出に関する多くの研究が行われてきており、最近ではウェーブレット変換における多重解像度の概念を取り入れたフィルタバンクを用いた画像処理方法が開発されている。
【０００４】
【特許文献１】
特開平７−２９９０５３号公報
【発明が解決しようとする課題】
【０００５】
一般的に、検出性能が高いコンピュータの結果を参考にした読影の方が、検出性能の低いコンピュータの結果を参考にした読影よりも医師の診断性能が向上するといわれる。したがって、より検出性能の高いＣＡＤシステムを開発する必要があり、そのＣＡＤに用いられる画像処理方法に関して更なる向上が望まれている。
【０００６】
本発明が解決する課題は、マンモグラム等の医用画像に含まれる大きさが異なる円形孤立性の異常陰影や線状の異常陰影と、正常組織である血管や肋骨などを制度良く区別するため画像処理においてウェーブレット解析による新規なフィルタバンクを用いた医用画像処理方法を提供することである。
【０００７】
【課題を解決するための手段】
この課題を解決するため本発明に係る医用画像処理方法は、分割部と合成部とからなり、前記分割部において入力された画像信号をフィルタ処理により帯域分割し、前記合成部においてはフィルタ処理により不要帯域を除去し、最後に各帯域信号を加算して出力画像信号を生成するようにした完全再構成フィルタバンクを用いた医用画像処理方法において、前記入力画像信号に含まれる異なる円形成分及び／又は線状成分とを検出するために、異なる解像度ごとに前記フィルタバンクの分割部により各帯域分割された画像信号を各要素とするヘシアン行列式の最小固有値及び／又は最大固有値を、前記出力画像信号の生成の際に用いることを要旨とするものである。
【０００８】
上記構成を有する医用画像処理方法を異常陰影等の検出に適用すれば、（１）マンモグラム等の医用画像に含まれる円形孤立性の異常陰影などの異なる大きさの円形パターンを強調できる、（２）正常組織である血管や肋骨など異なる大きさの線状パターンを強調できる、そして（３）それらの成分を取除いた形で再構成できるという特徴を持つ。
【０００９】
つまり、異なる解像度ごとに分割部により各帯域分割された信号が、それら信号を各要素としたヘシアン行列式の最小固有値により上記（１）の特徴を有し、異なる解像度ごとに前記分割部により各帯域分割された信号が、それら信号を各要素としたヘシアン行列式の最大固有値により上記（２）の特徴を有している。そして、例えば、前記フィルタバンクの前記分割部には高域通過フィルタがＨＨ（Ｚ）＝（−Ｚ＋Ｚ−１）／２及び低域通過フィルタがＨＬ（Ｚ）＝（Ｚ＋Ｚ−１）／２の伝達関数で与えられるとともに、合成部の高域通過フィルタがＦＨ（Ｚ）＝（Ｚ−Ｚ−１）／２及び低域通過フィルタがＦＬ（Ｚ）＝（Ｚ＋Ｚ−１）／２の伝達関数で与えられている構成にすることにより上記（３）の特徴を有するものになっている。
【００１０】
したがって、この医用画像処理方法の上記（１）の特徴を応用することによって、例えば乳房Ｘ線写真における微小石灰化陰影を精度よく検出できるようになる。また、上記（２）の特徴を応用することによって、例えば胸部Ｘ線写真における間質性肺疾患の検出や、正常組織である肋骨の検出、さらに（３）の特徴を応用することによって、結節状陰影の検出の際に擬陽性候補となりうる骨部組織を事前に前処理として取り除くことができるようになる。
【００１１】
【発明の実施の形態】
以下に本発明に係る医用画像処理方法の実施の形態について図面を参照して詳細に説明する。
【００１２】
まず、一般的なウェーブレット変換を用いたフィルタバンクについて説明する。ウェーブレット変換は、１９８０年にフランスの石油探査技師Ｊ．Ｍｏｒｌｅｔによって考案された時間（あるいは空間）周波数変換である。例えば、平面上で変動する信号曲線の中で検出したい波形があるとすると、その波形によく似た波をウェーブレット（さざ波）として設定し、そのウェーブレットを拡大縮小させながら、信号曲線の横軸方向にスキャニングし、波形の相似性を判定していくというもので、信号曲線の中で検出したい波形を適切に抽出することができる。
【００１３】
このウェーブレット変換は、連続ウェーブレット変換と離散ウェーブレット変換とに大別される。連続ウェーブレット変換は、連続的な時間シフトと連続的なスケールをパラメータにもつ関数による変換であるが、これらのパラメータが離散的な値をとるとき、離散ウェーブレット変換とよばれる。
【００１４】
通常、１次元離散ウェーブレット変換は、図１に示すような２分割フィルタバンクと呼ばれる低周波通過フィルタ（ＨＬ（Ｚ），ＦＬ（Ｚ））と高周波通過フィルタ（ＨＨ（Ｚ），ＦＨ（Ｚ））を組み合わせたフィルタ群により画像信号を複数の帯域に分割合成する変換方式である。このフィルタバンク１０を基本として、図２に示すフィルタバンク２０のような低域側のみを引き続き分割するオクターブ分割を施すことによって多重解像度解析（この場合Ｌｅｖｅｌ１〜３）が実行される。
【００１５】
図２に示されるＨＬ（Ｚ）、ＨＨ（Ｚ）は、図中左側の帯域分割フィルタバンク（ウェーブレット順変換）２１の低域通過フィルタと高域通過フィルタをそれぞれ示しており、ＦＬ（Ｚ）、ＦＨ（Ｚ）は、図中右側の帯域合成フィルタバンク（ウェーブレット逆変換）２２の低域通過フィルタと高域通過フィルタをそれぞれ示している。図中の↓２は、ダウンサンプラと呼ばれ、信号の奇数番目の要素を取り出す操作に相当し、↑２はアップサンプラと呼ばれ、信号間に１個の零値を挿入する操作に相当する。
【００１６】
図２に示されるように、原画像Ｓ０にフィルタバンク２０の帯域分割フィルタバンク２１を適用すると、まず最初の解像度レベル（Ｌｅｖｅｌ１）の第１低周波成分Ｗ１Ｌと第１高周波成分Ｗ１Ｈが得られる。さらに、この第１低周波成分Ｗ１Ｌを原画像Ｓ１とみなして次の解像度レベル（Ｌｅｖｅｌ２）の帯域分割を行うと、第２低周波成分Ｗ２Ｌと第２高周波成分Ｗ２Ｈが得られる。このように次々にオクターブ分割を行うと、たった一つの低周波成分Ｓ３と、解像度の異なった高周波成分Ｗ１Ｈ，Ｗ２Ｈ，Ｗ３Ｈの集まりが得られる。もちろん、帯域合成フィルタバンク２２を用いると原画像Ｓ０を復元できるので、分解によって得られたこのような低周波成分Ｓ３と多重高周波成分Ｗ１Ｈ，Ｗ２Ｈ，Ｗ３Ｈの集まりは原画像と同等である。
【００１７】
ここで、基本となる２分割フィルタバンクが次の３つの条件式（１）、（２）、（３）を満たすならば、離散直交ウェーブレット変換となる。
直交条件：ＨＨ（Ｚ）＝−Ｚ−（Ｎ−１）ＨＬ（−Ｚ−１）・・・・・・（１）
エイリアス除去：ＨＬ（−Ｚ）ＦＬ（Ｚ）＋ＨＨ（−Ｚ）ＦＨ（Ｚ）＝０・・・（２）
無歪み：ＨＬ（Ｚ）ＦＬ（Ｚ）＋ＨＨ（Ｚ）ＦＨ（Ｚ）＝１・・・・（３）
【００１８】
ただし、ＮはフィルタＨＬ（Ｚ）のタップ数であり、フィルタの相互関係をＦＬ（Ｚ）＝ＨＨ（−Ｚ）、ＦＨ（Ｚ）＝ＨＬ（−Ｚ）と規定する。しかし、直交条件を満たし直線位相特性を持つフィルタバンクは、２タップのフィルタ（Ｈａａｒ関数）以外存在しないことが知られている。そのため、画像処理への応用など直線位相特性を必要とする場合には、直交条件（１）式を満たさない緩和された条件の下で設計されたフィルタバンクが使用されている。
【００１９】
エイリアス除去の条件（２）式は、上述のアップサンプラ及びダウンサンプラを用いた場合のレート変換によって発生するエイリアシング成分及びイメージング成分を除去するための条件である。図１に示す基本フィルタバンク１０では、入力された画像信号Ｓ０は、高低２つの帯域に分割されるが、ダウンサンプラ２↓のダウンサンプリングにより信号の間引きが行われるため、帯域分割されて出力される信号量の合計は入力された信号量と変わらない。通常、画像圧縮などに用いられる場合は、帯域分割された信号量を極力低減する目的でダウンサンプリングが行われる。しかし、医用画像において異常陰影などのコントラスト強調に用いる場合は、必ずしも帯域分割された信号量を低減する必要はなく、むしろ詳細な情報を確保するためには間引きは行わないほうがよい。本発明では、医用画像などに含まれる円形・線状パターンを強調するために、ダウンサンプリングを用いないフィルタバンクを採用する。したがって、エイリアス除去の条件（２）式も満たす必要がないので、フィルタバンクの設計条件は無歪みの条件（３）式のみとなる。
【００２０】
図３は、無歪みの条件（３）式のみを満たしたフィルタバンク３０が示されている。このフィルタバンク３０において無歪みの条件（３）式が満たされるならば、信号の再構成は補償される。このようなダウンサンプリング及びアップサンプリングを用いない場合のフィルタバンクは、一般に解橡度レベルｊ番目を構成するフィルタの次数はＺ２ｊとして与えられる。しかし、解像度レベルｊ番目のフィルタの次数をＺ２ｊとした場合には、解橡度が粗くなるにつれてフィルタの次数が大きくなりすぎてしまうという欠点がある。そのため、医用画像に含まれる微細な陰影を分析しようとする場合には、最も細かい解像度のレベルでのみ陰影の特徴が表れてしまうことになる。そこで本発明では、解橡度を粗くしていった場合の微細な陰影の特徴の変化に関する情報を詳細に確保するために、例えば図中の解像度レベル２番目（Ｌｅｖｅｌ２）のフィルタ（ＨＬ（Ｚ２），ＨＨ（Ｚ２））の次数をＺ２としたように、解像度レベルｊ番目のフィルタの次数をＺｊした。
【００２１】
１次元離散ウェーブレット変換は、もともと１次元信号に対するものである。画像に対してはそれを横方向と縦方向に適用すればよいのであるが、その組合せはいろいろ考えられる。最もよく使われる方法は、画像の水平（Ｈｏｒｉｚｏｎｔａｌ）方向と垂直（Ｖｅｒｔｉｃａｌ）方向に別々に施して信号を分割する方法である。図４は、この方法によるフィルタバンク４０が示されている。Ｓ０ｆは処理前の原画像を表しており、この原画像Ｓ０ｆの解橡度レベルをゼロとして設定する。Ｓ１ｆ、ＷＨ１ｆ、ＷＶ１ｆ、ＷＤ１ｆは、解像度レベル１の平滑化部分画像、水平部分画像、垂直部分画像、対角部分画像をそれぞれ表している。このフィルタバンク４０を基本にして、平滑化部分画像を引き続き分割するオクターブ分割を施すことによって多重解像度に分解できる。基本フィルタバンク４０が信号の再構成を補償するならば、オクターブ分割をすることによって得られるフィルタバンクも信号の完全な再構成を補償する。
【００２２】
従来、さまざまな方向の２階差分フィルタの方向に関する最小値および最大値を用いることにより、医用画像における円形陰影や線状陰影を強調するための方法が提案されている（清水昭伸、長谷川純一、鳥脇純一郎共著“胸部Ｘ線像の塊状陰影陰影検出用の最小方向差分フィルタとその性質”信学論Ｊ７６−Ｄ−２（２），２４１−２４９，１９９３．および“医用画像の計算機診断のための回転型２階差分フィルタの性質”信学論Ｊ７８−Ｄ−２（１），２９−３９，１９９５．）。
【００２３】
これらの文献には、Ｍｉｎ−ＤＤフィルタ、Ｍａｘ−ＤＤフィルタと呼ばれるフィルタについての説明が記載されている。Ｍｉｎ−ＤＤフィルタは、２階差分フィルタの方向に関する最大値を出力とするため、血管影のような直線状の陰影に対する強調を抑制しながら、円状陰影を選択的に強調するのに適したフィルタである。一方、Ｍａｘ−ＤＤフィルタは、２階差分フィルタの方向に関する最小値を出力するため、線状陰影の強調に適したフィルタである。
【００２４】
ところで、２次関数ｆ（ｘ，ｙ）の任意の方向θに関する２階微分は次式（数１）
【００２５】
【数１】
2004313478.tif 000003
【００２６】
として表すことができるから、２次関数ｆ（ｘ，ｙ）のθ方向に関する２階微分に関する最小値および最大値は、上式のヘシアン行列（ヘッセ行列ともいう）の最小固有値、最大固有値として求めることができる。過去に行われた研究においても、へシアン行列の最小固有値を用いることによって、結節状陰影の強調が行われている（澤田晃、佐藤嘉伸、木戸尚治、田村進一共著“胸部Ｘ線画像における肺腫瘤陰影の検出−多重解像度フィルタ、エネルギー差分画像の利用と性能分析−”Ｍｅｄ  Ｉｍｇ  Ｔｅｃｈ，１７（１），８１−９１，１９９９．および倉光智也、清水健治、柴田裕士、田中稔、安原美文、池添潤平、佐藤嘉伸、田村進一、柳原宏共著“Ｇａｕｓｓ平滑化とＨｅｓｓｉａｎ行列の固有値にもとづく腫瘤（結節）と血管の識別”Ｍｅｄ  Ｉｍａｇ  Ｔｅｃｈ，１９（３），１９６−２０７，２００１．）。
【００２７】
したがって、以上の説明から、へシアン行列の各要素を生成する帯域分割フィルタバンクが構築できれば、それらの各要素から計算される最小固有値あるいは最大固有値を求めることにより円形パターンあるいは線状パターンの強調が可能となる。図５のフィルタバンク５０は、図４のフィルタバンク４０を等価変換したものである。このフィルタバンク５０において、帯域分割フィルタバンク５１と帯域合成フィルタバンク５２との間でフィルタを加える順番を換えるだけならば完全再横成の条件は満たされる。そこで、図６に示すフィルタバンク６０のようにそれぞれのフィルタの位置を入れ換えた。次に、フィルタＨＨ（Ｚ）を１階差分フィルタとして次式で与えた。
ＨＨ（Ｚ）＝（−Ｚ＋Ｚ−１）／２・・・・（５）
また、フィルタＦＨ（Ｚ）を
ＦＨ（Ｚ）＝（Ｚ−Ｚ−１）／２・・・・（６）
として与えたならば，フィルタＨＨ（Ｚ）ＦＨ（Ｚ）は、
ＨＨ（Ｚ）ＦＨ（Ｚ）＝（−Ｚ２＋２−Ｚ−２）／４・・・・（７）
となり、２階差分フィルタとなる。つまり、図６に示されるフィルタバンク６０のフィルタ群において上式（５）、（６）、（７）の伝達関数で与えられたフィルタを使用した場合には、帯域分割フィルタバンク６１によって生成された水平部分画像ＷＨ１ｆ、垂直部分画像ＷＶ１ｆは、それぞれ原画像Ｓ０ｆに対して垂直方向にこの２階差分フィルタ（ＨＨ（Ｚ）ＦＨ（Ｚ））を加えた画像、水平方向に同じくこの２階差分フィルタ（ＨＨ（Ｚ）ＦＨ（Ｚ））を加えた画像に相当する。また、対角部分画像ＷＤ１ｆは、水平方向および垂直方向に１階差分フィルタ（ＨＨ（Ｚ））を加えた画像となる。すなわち、これらの部分画像情報はヘシアン行列の各要素に相当する。残る問題は、帯域合成フィルタバンク６２が再構成の条件を満たさなければならないことであるから、無歪みの条件を満たすように残りのフィルタを次のように決定した。
ＨＬ（Ｚ）ＦＬ（Ｚ）＝（（Ｚ＋Ｚ−１）／２））（（（Ｚ＋Ｚ−１）／２））＝（Ｚ２＋２＋Ｚ−２）／４・・・・（８）
【００２８】
つまり、このフィルタは平滑化フィルタとなり、次の解像度レベルの平滑化部分画像を生成する。図６に示されるフィルタバンク６０において、平滑化部分画像Ｓ１ｆを次々に分割していくオクターブ分割を施すことによって多重解像度に分解できる。図７は、オクターブ分割によって得られたフィルタバンク７０を表している。各解像度レベル（Ｌｅｖｅｌ１〜３）の部分画像情報は、より細かい解像度レベルの平滑化部分画像に対してそれぞれのフィルタを加えることによって生成される。各解像度レベルの円形パターン強調画像λｊｍｉｎ（ｘ，ｙ）は、その解像度レベルの水平部分画像、垂直部分画像、対角部分画像を各要素とするヘシアン行列の最小固有値によって次式（数２）で与えられる。
【００２９】
【数２】
2004313478.tif 000004
【００３０】
一方、各解像度レベルの線状パターン強調画像λｊｍａｘ（ｘ，ｙ）はヘシアン行列の最大固有値として次式（数３）によって与えられる。
【００３１】
【数３】
2004313478.tif 000005
【００３２】
これら円形パターン強調画像λｊｍｉｎ（ｘ，ｙ）と線状パターン強調画像λｊｍａｘ（ｘ，ｙ）を用いることにより、異なる大きさの円形パターンおよび線状パターンの強調が可能となる。
【００３３】
本発明に係るフィルタバンクの特徴の一つである異なる大きさの円形パターンを強調することができることを、乳房Ｘ線写真における微小石灰化陰影を強調することに用いた。図８は、微小石灰化陰影（Ｍｉｃｒｏ  ｃａｌｃｉｆｉｃａｔｉｏｎ）を含む関心領域８０、血管（Ｖｅｓｓｅｌ）を含む関心領域８１、背景（Ｂａｃｋｇｒｏｕｎｄ）の関心領域８２と、それらの各解像度レベル（Ｌｅｖｅｌ１〜４）における円形パターン強調画像λｊｍｉｎ（ｘ，ｙ）（図中８０ａ〜８０ｄ，８１ａ〜８１ｄ，８２ａ〜８２ｄ）をそれぞれ示している。図８に見られるように、石灰化陰影を含む関心領域８０の円形パターン強調画像８０ａ〜８０ｄと背景の関心領域８２の円形パターン強調画像８２ａ〜８２ｄを各解像度レベルで比較した場合、石灰化陰影を含む関心領域８０の円形パターン強調画像８０ａ〜８０ｄの方が、背景の関心領域８２の円形パターン強調画像８２ａ〜８２ｄに比べてコントラストの高い円形パターンを含む割合が明らかに高いことがわかる。
【００３４】
また、石灰化陰影を含む関心領域８０をこのような多重解像度空間で眺めた場合、詳細に見れば複雑な形状をしている石灰化陰影がスムージングの効果により、解像度が粗くなるにつれて理想的な円形パターンに近づいていることがわかる。そのため、陰影が理想的な円形パターンであることを想定したへシアン行列の最小固有値を出力するという本発明の特徴が生かされ、大きさや形状の異なる石灰化陰影が効果的に強調されている。次に、血管を含む関心領域８１の円形パターン強調画像８１ａ〜８１ｄと石灰化陰影を含む関心領域８０の円形パターン強調画像８０ａ〜８０ｄとを比較すると、血管を含む関心領域の方が明らかに円形パターンを含む割合は低いことがわかる。
【００３５】
また、血管を含む関心領域８１の円形パターン強調画像８１ａ〜８１ｄでは、血管などの線状パターンに関する情報が抑制されている。したがって、多重解像度空間における円形パターン強調画像に含まれる特徴を応用すれば、石灰化陰影を含む関心領域と、正常組織である血管および背景の関心領域を区別することができることを示している。
【００３６】
フィルタバンクのもう一つの特徴である異なる大きさの線状パターンを強調することができることを、胸部単純Ｘ線写真における血管および肋骨を強調することに応用した。図９は、原画像である肋骨を含んだ関心領域９０と、各解像度レベル（Ｌｅｖｅｌ１〜４）の線状パターンを強調した画像λｊｍａｘ（ｘ，ｙ）９０λａ〜９０λｄ、および各解橡度レベルの水平部分画像ＷｆＨｊ（ｘ，ｙ）９０Ｈａ〜９０Ｈｄ、垂直部分画像ＷｆＶｊ（ｘ，ｙ）９０Ｖａ〜９０Ｖｄ、対角部分画像ＷｆＤｊ（ｘ，ｙ）９０Ｄａ〜９０Ｄｄをそれぞれ示している。
【００３７】
図９に見られるように、細かい解像度レベルでは小さな血管影や肋骨の縁が強調されており、粗い解像度レベルでは、太い線状成分である肋骨が強調されているのがわかる。つまり、フィルタバンクの異なる線状パターンを強調する手法を応用することによって、細かな血管や肋骨が選択的に強調できることを示している。次に、線状パターン強調画像を生成する各解像度レベルの部分画像情報の特徴を見てみると、垂直部分画像に肋骨に関する情報が多く含まれているのがわかる。本発明に係るフィルタバンクは、ある成分を取り除いた形で再横成できるという特徴を持つため、この性質を利用して垂直部分画像に関する情報を取り除き（値をゼロにする）、再構成することによって医用画像の骨部に関する情報を取り除いた画像が得ることができる。図１０（ｂ）は、このようにして得られた画像である。図１０（ａ）の原画像と比較すると、骨部に関する情報の多くが取り除かれていることがわかる。一般に、胸部単純Ｘ線写真に含まれる結節状陰影を検出する場合などには、肋骨や血管およびその交差部で偽陽性が多いことが知られている。そのため、これらの情報を前処理として取り除いた画像を入力画像として用いたならば、これまで問題とされていた偽陽性候補となりうる要因を事前に取り除くことができる。
【００３８】
本発明に係るフィルタバンクは、医用画像における異なる大きさの円形パターンおよび線状パターンを選択的に強調することができ、それらの成分を取り除いた形で再横成できるという特徴を持つ。このフィルタバンクの特徴を利用することによって、乳房Ｘ線写真における微小石灰化陰影が効果的に強調でき、また、胸部単純Ｘ線写真における血管および肋骨を強調し、肋骨に関する情報を取り除いた画像を生成することができる。
【実施例】
【００３９】
実験試料は、ブレストピアなんば病院で撮影された乳房Ｘ線写真５９枚で構成される。これらを、ＥＰＳＯＮ  ＥＳ−８０００（光学解像度８００ｄｐｉＸ１６００ｄｐｉ、光学濃度レンジ３．３Ｄ）を用いて、空間分解能０．０５ｍｍ／ｐｉｘｅｌ、濃度分解能１２ｂｉｔでディジタイズしたものを解析対象画像として用いた。これらの解析対象画像は，微小石灰化クラスタを１個含んだ画像３４枚、２個含んだ画像１２枚、３個含んだ画像６枚、４個以上含んだ画像７枚からなり、実験試料に含まれる総クラスタ数は１０６個である。本実施例では、５ｍｍＸ５ｍｍ当たり３個以上の石灰化陰影が存在する領域を微小石灰化クラスタとして定義した。７８個の微小石灰化クラスタは、５ｍｍＸ５ｍｍの領域に十分に含まれる大きさであり、残り２８個の微小石灰化クラスタは、１０ｍｍＸ１０ｍｍの領域に含まれる大きさである。したがって、本実施例で用いた乳房Ｘ線写真の多くは、極めて狭い領域に分布している早期段階の微小石灰化クラスタを含んでいることになる。
【００４０】
微小石灰化クラスタ検出の処理手順は，解析対象である原画像Ｓ０ｆを円形・線状パターン検出のための図７に示したフィルタバンク７０に入力し，各解像度レベルの円形パターン強調画像λｊｍｉｎｆ、線状パターン強調画像λｊｍａｘｆ、水平方向、垂直方向および対角方向２階差分画像（ＷＨｊｆ，ＷＶｊｆ，ＷＤｊｆ）を生成する。次に、解析対象画像の全体を関心領域（ＲＯＩ）で区切り、その関心領域においてフィルタバンクによって生成された画像から微小石灰化クラスタと正常組織を区別するための特徴量を決定する。ここで、ＲＯＩのサイズは微小石灰化クラスタの定義に基づき５ｍｍＸ５ｍｍと設定した。最後に，そのＲＯＩが微小石灰化クラスタを含むのか、または正常組織であるのかを、判別分析を用いて識別する。
【００４１】
一般に、コンピュータを用いて画像に含まれるパターン（アルファベットの文字など）を認識するときには、図１１に示すような手順をとることが多い。画像１１ａが入力されると、まず前処理１１ｂでノイズ除去などを行う。続いて特徴抽出１１ｃでは、膨大な情報を持つ原画像からのパターンの認識に必要な本質的な特徴のみを抽出する。識別機１１ｄでは、判別分析、ニューラルネットワーク、最近傍決定則法、サポートベクタマシンなどの数多くの方法が提案されている。
【００４２】
本実施例では、コンピュータを用いた乳房Ｘ線写真における微小石灰化陰影の検出は、図１２に示すような手順で行われる。まず乳房Ｘ線写真１２ａをスキャナなどでコンピュータに取り込む（図中１２ｂ）。次に粒状・線状パターン検出のためのフィルタバンクを用いて画像を分解し（図中１２ｃ）、得られた分解画像から所定の特徴を抽出する（図中１２ｄ）。画像全体を関心領域に区切り（図中１２ｅ）、各関心領域に微小石灰化陰影が含まれるかを識別機である判別分析を用いて行う（図中１２ｆ）。
【００４３】
微小石灰化クラスタを含むＲＯＩ、血管を含むＲＯＩ、背景を含むＲＯＩが、フィルタバンクによって生成された画像おいて、どのような違いが見られるかについて述べる。
【００４４】
図１３と図１４は、それぞれ微小石灰化クラスタを含むＲＯＩ１１０、血管を含むＲＯＩ１２０とそれらの画像を図７に示したフィルタバンク７０に入力することにより生成された平滑化部分画像Ｓｊｆ、水平部分画像ＷＨｊｆ、垂直部分画像ＷＶｊｆ、対角部分画像ＷＤｊｆをそれぞれ示している。
【００４５】
また、図１５は、微小石灰化クラスタ（Ｃｌｕｓｔｅｒｅｄ  ｍｉｃｒｏ  ｃａｌｃｉｆｉｃａｔｉｏｎ）を含むＲＯＩ１３０、血管（Ｂｌｏｏｄ  ｖｅｓｓｅｌ）を含むＲＯＩ１３１、背景（Ｂａｃｋｇｒｏｕｎｄ）を含むＲＯＩ１３２と、それらの各解像度レベル（Ｌｅｖｅｌ１〜４）における線状パターン（Ｌｉｎｅｒ  ｐａｔｔｅｒｎ）強調画像λｊｍａｘｆ、円形パターン（Ｎｏｄｕｌａｒ  ｐａｔｔｅｒｎ）強調画像λｊｍｉｎｆおよび解像度レベル１からレベル４までの円形パターン強調画像を加算した画像（Ｍｕｌｔｉ−ｓｉｚｅ  Ｎｏｄｕｌａｒ  ｐａｔｔｅｒｎ）１３０ａ，１３１ａ，１３２ａをそれぞれ示している。
【００４６】
図１３が示すように、微小石灰化クラスタＲＯＩ１１０の画像処理では、水平、垂直、対角方向の２階差分画像（ＷＨｆ，ＷＶｆ，ＷＤｆ）に同程度の値を持つ。しかし、図１２が示すように、血管ＲＯＩ１２０の画像処理では、垂直方向の２階差分画像（ＷＶｆ）に高い値を持つ。つまり、血管を含んだＲＯＩでは血管の向きに対応した２階差分画像にのみ高い値を持つ偏りが見られる。図１５の線状パターン強調画像λｊｍａｘｆでは、微小石灰化クラスタＲＯＩ１３０については、解像度レベル２からレベル３にかけて値が大きく減少しているのに対して、血管ＲＯＩ１３１については大きな減少が見られない。また、背景ＲＯＩ１３２についてはどの解像度レベルにおいてもあまり大きな値を持っていない。
【００４７】
図１５の円形パターン強調画像λｊｍｉｎｆでは、微小石灰化クラスタＲＯＩ１３０については、解像度レベル２において最も高い値を持ち、レベル３およびレベル４においてもある程度の値を持っている。しかし、血管ＲＯＩ１３１および背景ＲＯＩ１３２については、どの解像度レベルにおいてもほとんど値を持っていない。図１５のレベル１からレベル４までの円形パターン強調画像を加算した画像１３０ａ，１３１ａ，１３２ａでは、微小石灰化クラスタＲＯＩ１３０については大きな値を持っているのに対して、血管ＲＯＩ１３１および背景ＲＯＩ１３２については明らかに値が小さいことがわかる。
【００４８】
そこでフィルタバンク７０によって生成された各画像情報から微小石灰化クラスタＲＯＩ、血管ＲＯＩ、背景ＲＯＩを識別するための特徴量の定量化を行う。最も単純な定量化の手法は、ＲＯＩの全画素値の合計として定量化することである。しかし、この手法では、石灰化陰影に相当する高い値の情報が、ＲＯＩの大部分を占める石灰化陰影以外の低い値に大きく影響を受けるために、画像に含まれる石灰化陰影の情報を正確に定量化できない問題がある。したがって、ＲＯＩにおける濃度ヒストグラムの上位５％の合計値として定量化した。ここで、ＲＯＩに石灰化陰影が３個存在するとき、石灰化陰影に属する画素数はＲＯＩの全画素数の５％程度である。
【００４９】
本発明で用いた特徴量は、▲１▼解像度レベル１からレベル４までの各円形パターン強調画像を定量化した各レベルの円形成分、▲２▼解像度レベル１からレベル４までの各線状パターン強調画像を定量化した各レベルの線状成分。解像度レベル１からレベル４まで水平部分画像を加算した画像、垂直部分画像を加算した画像、対角部分画像を加算した画像のそれぞれの合計値を比較し、その値が最大となる画像を最大方向部分画像、２番目の大きさとなる画像を中間方向部分画像、最小となる画像を最小方向部分画像としたとき、▲３▼解像度レベル１からレベル４までの最大方向部分画像を定量化した各レベルの最大方向成分、▲４▼解像度レベル１からレベル４までの中間方向部分画像を定量化した各レベルの中間方向成分、▲５▼解像度レベル１からレベル４までの最小方向部分画像を定量化した各レベルの最小方向成分。また、▲６▼解像度レベル１からレベル４までの円形パターン強調画像を加算した画像を定量化した大小円形成分の合計２１特徴量である。このうち、▲３▼、▲４▼、▲５▼は、血管のように一定の方向に伸びた陰影がＲＯＩの中に存在した場合には、最大方向成分のみが大きな値を持つという特性を調べるための特徴量である。
【００５０】
実験試料の中から無作為に切り出した微小石灰化クラスタ６０例、血管領域４０例、背景領域４０例の合計１４０例のＲＯＩを用いて、決定した特徴量が微小石灰化クラスタと正常組織の識別に有効であるか検討を行った。図１６は、解像度レベル１からレベル４までの（ａ）円形成分（Ｎｏｄｕｌａｒ  ｃｏｍｐｏｎｅｎｔ）、（ｂ）線状成分（Ｌｉｎｅ  ｃｏｍｐｏｎｅｎｔ）、（ｃ）最大方向成分（Ｍａｘｉｍｕｍ  ｄｉｒｅｃｔｉｏｎ  ｃｏｍｐｏｎｅｎｔ）、（ｄ）中間方向成分（Ｍｉｄｄｌｅ  ｄｉｒｅｃｔｉｏｎ  ｃｏｍｐｏｎｅｎｔ）、（ｅ）最小方向成分（Ｍｉｎｉｍｕｍ  ｄｉｒｅｃｔｉｏｎ  ｃｏｍｐｏｎｅｎｔ）のグラフを示している。ここで、表示している値は、微細石灰化クラスタ６０例，、血管領域４０例、背景領域４０例のそれぞれの平均値であり、正常組織は血管領域４０例および背景領域４０例の平均値である。
【００５１】
図１６（ａ）の円形成分について見てみると、微小石灰化クラスタ（Ｃｌｕｓｔｅｒｅｄ  ｍｉｃｒｏ  ｃａｌｃｉｆｉｃａｔｉｏｎ）は解像度レベル１から２にかけてほぼ同程度の値を持つのに対して、正常組織（Ｎｏｒｍａｌ  ｔｉｓｓｕｅ）では明らかな減少が見られる。また、各解像度レベルにおいて微細石灰化クラスタは、正常組織の約２倍の高い値を持つ。つまり、円形成分は微細石灰化クラスタを区別するのに極めて有効な特徴量であることを示している。また、解像度レベル３の微細石灰化クラスタの値が下がっているため、ほとんどの石灰化陰影の大きさが解像度レベル１とレベル２のフィルタサイズに相当すると考えられる。
【００５２】
図１６（ｂ）では、解像度レベル間で微小石灰化クラスタと血管領域（Ｂｌｏｏｄ  ｖｅｓｓｅｌ）に同じような変化の傾向が現れている。このことは、石灰化陰影の大きさと血管陰影の幅が同程度であることを示している。また、微小石灰化クラスタの方が血管領域より高い線状成分を持っている。この理由は、石灰化陰影も局所的に見れば線状であること、ＲＯＩにおける濃度ヒストグラムの上位５％の合計値として定量化を行っていることが原因である。しかしながら、微小石灰化クラスタと正常組織を比較すると明らかに違いが見られるため、線状成分が識別に有効な特徴量であることが分かる。
【００５３】
図１６（ｃ），（ｄ），（ｅ）を見てみると、微小石灰化クラスタは、最大方向成分に比べ中間方向成分および最小方向成分の値がそれぞれ小さいが、その値には大きな違いは見られない。一方、血管陰影では、最大方向成分に比べ最小方向成分の値が約半分であることが分かる。同様の傾向が血管陰影と背景領域を合わせて平均化した正常組織に対しても言えるため、これらの特徴量が微小石灰化クラスタと正常組織の区別に有効な特徴量であることが理解できる。
【００５４】
また、微細石灰化クラスタ６０例と正常組織８０例の大小円形成分の平均値は、微細石灰化クラスタが１８２０４．５、正常組織が９６２５．０であった。したがって、大小円形成分も微細石灰化クラスタと正常組織の区別に非常に有効な特徴量であると考えられる。
【００５５】
これらの２１個の特徴量を用いた判別分析により、微小石灰化クラスタ６０例と正常組織８０例の識別実験を行った。ここでは、データ分類法としてマハラノビスの距離を採用した。その結果、９７．１％（１３６／１４０）の正答率、２．９％（４／１４０）の誤判別率を得た。誤って識別したＲＯＩは、いずれも微小石灰化クラスタを含むものであった。これらの結果により、フィルタバンクによって生成された各画像情報から得られた特徴量が、微細石灰化クラスタと正常組織の識別に有用であることが確認された。
【００５６】
生成した判別関数を用いて、５９枚のマンモグラムを対象にした微小石灰化クラスタ検出実験を行った。その結果、真陽性率９４．３％（検出数：１００例／微細石灰化クラスタ数：１０６例）、解析対象画像１枚あたりの偽陽性数０．０５１ヶ所を得た。図１７は、微小石灰化クラスタ１０６例、正常組織４５６７９例の合計４５７８５例のマンモグラム５９枚に含まれる全てのＲＯＩの判別得点ヒストグラムを示している。図１７において、微細石灰化クラスタ（Ｃｌｕｓｔｅｒｅｄ  ｍｉｃｒｏ  ｃａｌｃｉｆｉｃａｔｉｏｎ）の頻度分布の中心と正常組織（Ｎｏｒｍａｌ  ｔｉｓｓｕｅ）の頻度分布の中心が大きく離れているため、これらの識別に有意となる判別関数であることが理解できる。また、１４０例という少ない数のＲＯＩを用いて生成された判別関数を用いたにもかかわらず、判別関数を生成するときに用いなかった４５６４０例のＲＯＩを正確に識別できていることから、用いた特徴量が非常に有効であったと考えられる。
【００５７】
このようにフィルタバンクから生成される画像情報から得られた特徴量が、微小石灰化クラスタと正常組織を識別するための有効であり、また、これらの特徴量を用いた判別分析によって、マンモグラムにおける早期段階の微小石灰化クラスタを高い精度で検出することができる。
【００５８】
以上詳述したように、本発明に係るフィルタバンクは、マンモグラム等の医用画像に含まれる円形孤立性の異常陰影などの異なる大きさの円形パターンを強調することができ、正常組織である血管や肋骨など異なる大きさの線状パターンを強調することがきるフィルタバンクである。尚、本発明はこうした実施形態に何ら限定されるものではなく、本発明の要旨を逸脱しない範囲において、種々なる態様で実施できることは勿論である。
【００５９】
【発明の効果】
本発明に係るフィルタバンクによれば、医用画像における異なる大きさの円形パターンおよび線状パターンを選択的に強調することができ、それらの成分を取り除いた形で再横成できるので、このフィルタバンクを用いることによって、乳房Ｘ線写真における微小石灰化陰影が効果的に強調でき、また、胸部単純Ｘ線写真における血管および肋骨を強調し、肋骨に関する情報を取り除いた画像を生成することができる。
【図面の簡単な説明】
【図１】一般的な２分割フィルタバンクの概略構成を示した図である。
【図２】図１の２分割フィルタバンクを基本とする離散ウェーブレット変換（レベル１〜レベル３）を行うフィルタバンクの概略構成を示した図である。
【図３】図２のフィルタバンクにおいてサンプリングオペレータを伴わないフィルタバンクを示した図である。
【図４】図３のフィルタバンクを２次元に適用したフィルタバンクの概略構成を示した図である。
【図５】図４のフィルタバンクと等価なフィルタバンクを示した図である。
【図６】本発明に係る円形・線状パターンを検出するためのフィルタバンクの概略構成を示した図である。
【図７】図４のフィルタバンクを基本とする離散ウェーブレット変換（レベル１〜レベル３）を行うフィルタバンクの概略構成を示した図である。
【図８】微小石灰化クラスタを含む画像等に本発明に係るフィルタバンクを用いて異なる解像度レベルにおける円形パターンの強調を行った画像を示した図である。
【図９】肋骨を含む画像に本発明に係るフィルタバンクを用いて異なる解像度レベルにおける線状パターンの強調を行った画像を示した図である。
【図１０】肋骨を含む原画像と骨部領域を削除した画像の比較を示した図である。
【図１１】一般的な画像処理手順を示した図である。
【図１２】本発明に係る画像処理の手順を示した図である。
【図１３】微小石灰化クラスタを含む画像領域に本発明に係るフィルタバンクを用いて異なる解像度レベルにおける円形パターンの強調を行った際のフィルタバンクの出力画像を示した図である。
【図１４】血管を含む画像領域に本発明に係るフィルタバンクを用いて異なる解像度レベルにおける線状パターンの強調を行った際のフィルタバンクの出力画像を示した図である。
【図１５】ヘシアン行列により生成された円形・線状パターン強調画像を示した図である。
【図１６】各解像度レベルにおける特徴量を示した図である。
【図１７】判別得点ヒストグラムを示した図である。
【符号の説明】
７０  フィルタバンク
ＨＬ（Ｚ）  分割側低域通過フィルタ
ＨＨ（Ｚ）  分割側高域通過フィルタ
ＦＬ（Ｚ）  合成側低域通過フィルタ
ＦＨ（Ｚ）  合成側高域通過フィルタ
↓２  ダウンサンプラ
↑２  アップサンプラ
Ｓ０ｆ  原画像
Ｓｊｆ  平滑化部分画像
ＷＨｊｆ  水平部分画像
ＷＶｊｆ  垂直部分画像
ＷＤｊｆ  対角部分画像
λｊｍｉｎｆ  円形パターン強調画像
λｊｍａｘｆ  線状パターン強調画像
【図１】
2004313478.tif 000006
【図２】
2004313478.tif 000007
【図３】
2004313478.tif 000008
【図４】
2004313478.tif 000009
【図５】
2004313478.tif 000010
【図６】
2004313478.tif 000011
【図７】
2004313478.tif 000012
【図８】
2004313478.tif 000013
【図９】
2004313478.tif 000014
【図１０】
2004313478.tif 000015
【図１１】
2004313478.tif 000016
【図１２】
2004313478.tif 000017
【図１３】
2004313478.tif 000018
【図１４】
2004313478.tif 000019
【図１５】
2004313478.tif 000020
【図１６】
2004313478.tif 000021
【図１７】
2004313478.tif 000022